(57)【要約】【課題】収納空間の間に照明装置を配置しながら、収納空間をできる限り広くすることができる照明付きキャビネットを提供する。【解決手段】本発明は、キャビネット４と、照明装置６とを備えた照明付きキャビネット３である。キャビネット４は、側板４８同士が隣接するように複数並設されている。キャビネット４の側板４８のうち隣接する他のキャビネット４側の側板４８の前端面が、天板４６及び底板４７の前端面よりも後方に位置している。照明装置６は、上下方向に長く形成された導光部８を有している。この導光部８は、天板４６及び底板４７の前端面よりも後方に位置する側板４８の前端面の前方に収容配置されている。【選択図】図１
2014209990.tif 000002
【特許請求の範囲】
【請求項１】
天板、底板、側板に囲まれた収納空間を有するキャビネットと、
このキャビネットに取り付けられた照明装置と
を備えた照明付きキャビネットであって、
前記キャビネットは前記側板同士が隣接するように複数並設されており、
前記キャビネットの前記側板のうち隣接する他のキャビネット側の前記側板の前端面が前記天板及び前記底板の前端面よりも後方に位置しており、
前記照明装置は、
上下方向に長く形成され光源からの光が長手方向の端面から入射し且つ入射した光が前面から出射する導光部
を有しており、
この導光部が、前記天板及び前記底板の前端面よりも後方に位置する側板の前端面の前方に収容配置されている
ことを特徴とする照明付きキャビネット。
【請求項２】
前記キャビネットの互いに隣り合う２つの側板のうちのいずれか一方の側板の前端面が、前記天板及び前記底板の前端面よりも後方に位置している
ことを特徴とする請求項１記載の照明付きキャビネット。
【請求項３】
前記キャビネットの互いに隣り合う２つの側板の前端面が、いずれも、前記天板及び前記底板の前端面よりも後方に位置している
ことを特徴とする請求項１記載の照明付きキャビネット。
【請求項４】
前記導光部の前面が、前記天板及び前記底板の前端面に面一となっている
ことを特徴とする請求項１乃至請求項３のいずれか一項に記載の照明付きキャビネット。
【発明の詳細な説明】
【技術分野】
【０００１】
本発明は、照明付きキャビネットに関する。
【背景技術】
【０００２】
特許文献１には、従来の照明付きキャビネットが開示されている。この特許文献１記載のキャビネットは、ミラーキャビネットである。このミラーキャビネットの内部は、縦板によって仕切られている。ミラーキャビネットの内部における縦板の両側には、収納空間が設けられている。
【０００３】
縦板には、厚み方向の中間に収納凹所が設けられている。この収納凹所には、導光板と光源とが収納配置されている。
【０００４】
このミラーキャビネットは、光源から発せられた光が、導光板の後方側の端面から入射して、当該導光板の前端面から出射するように構成されている。
【先行技術文献】
【特許文献】
【０００５】
【特許文献１】特開２０１１−１５２２２９号公報
【発明の概要】
【発明が解決しようとする課題】
【０００６】
ところで、この特許文献１記載のミラーキャビネットは、縦板の厚み方向の中央に収納凹所が設けられており、この収納凹所内に導光板と光源とが収納されたものである。このため、特許文献１記載のミラーキャビネットは、縦板の厚みが大きくならざるを得ず、収納空間が狭くなってしまうという問題があった。
【０００７】
本発明は、上記事情に鑑みてなされたものであり、その目的とするところは、収納空間の間に照明装置を配置しながら、収納空間をできる限り広くすることができる照明付きキャビネットを提供することにある。
【課題を解決するための手段】
【０００８】
本発明の照明付きキャビネットは、天板、底板、側板に囲まれた収納空間を有するキャビネットと、このキャビネットに取り付けられた照明装置とを備えた照明付きキャビネットであって、前記キャビネットは前記側板同士が隣接するように複数並設されており、前記キャビネットの前記側板のうち隣接する他のキャビネット側の前記側板の前端面が前記天板及び前記底板の前端面よりも後方に位置しており、前記照明装置は、上下方向に長く形成され光源からの光が長手方向の端面から入射し且つ入射した光が前面から出射する導光部を有しており、この導光部が、前記天板及び前記底板の前端面よりも後方に位置する側板の前端面の前方に収容配置されていることを特徴とする。
【０００９】
またこの照明付きキャビネットにおいて、前記キャビネットの互いに隣り合う２つの側板のうちのいずれか一方の側板の前端面が、前記天板及び前記底板の前端面よりも後方に位置していることが好ましい。
【００１０】
またこの照明付きキャビネットにおいて、前記キャビネットの互いに隣り合う２つの側板の前端面が、いずれも、前記天板及び前記底板の前端面よりも後方に位置していることが好ましい。
【００１１】
またこの照明付きキャビネットにおいて、前記導光部の前面が、前記天板及び前記底板の前端面に面一となっていることが好ましい。
【発明の効果】
【００１２】
本発明の照明付きキャビネットによれば、収納空間の間に照明装置を配置しながら、収納空間をできる限り広くすることができる。
【図面の簡単な説明】
【００１３】
【図１】実施形態１の照明付きキャビネットの断面図である。
【図２】実施形態１の洗面化粧台の正面図である。
【図３】実施形態１の照明付きキャビネットの斜視図である。
【図４】実施形態１のキャビネットの分解斜視図である。
【図５】実施形態１の照明装置の組み立てた状態の斜視図および分解斜視図である。
【図６】実施形態２の照明付きキャビネットの断面図である。
【発明を実施するための形態】
【００１４】
以下、本発明の実施形態について添付図面に基づいて説明する。
【００１５】
実施形態１の照明付きキャビネット３は、図２に示すように、洗面化粧台１に用いられる。洗面化粧台１は、洗面台２と、照明付きキャビネット３とを備えている。
【００１６】
なお、本実施形態における方向の定義は、使用状態における奥手前方向が前後方向として定義される。特に、洗面化粧台１において後述のバックガード２３が設けられている側を後側として定義し、ユーザーが使用時に立つ側を前側として定義する。また、左右方向は、ユーザーが洗面化粧台１に向かった姿勢での方向として定義する。
【００１７】
洗面台２は、後面が部屋の壁面に沿った状態で設置される。洗面台２は、下部キャビネット２１と、カウンター２２と、バックガード２３とを備えている。カウンター２２にはボウル（図示せず）が設けられている。ボウルは、水栓の吐出口２４から吐出された湯水を受ける部分であり、例えば、上方に開口した椀状に形成されている。カウンター２２は、下部キャビネット２１の上端に載設されている。バックガード２３は、カウンター２２の後端部（ボウルの後方）から上方に向かって突設されている。
【００１８】
本実施形態の照明付きキャビネット３は、ミラーキャビネットである。照明付きキャビネット３は、バックガード２３の上端に載設されている。つまり、照明付きキャビネット３は、洗面台２の上方に配置される。照明付きキャビネット３は、例えば、その後面が部屋の壁面に沿った状態で設置される。照明付きキャビネット３は、図３に示すように、複数のキャビネット４と、照明装置６とを備えている。複数のキャビネット４は、側板４８同士が隣接するように（つまり、側板４８同士が当接した状態で）並設されている。
【００１９】
本実施形態の照明付きキャビネット３は、複数のキャビネット４として、図４に示すように、センターキャビネット４１と、サイドキャビネット４２とを備えている。照明付きキャビネット３は、サイドキャビネット４２として、右サイドキャビネット４３と、左サイドキャビネット４４とを有する。左サイドキャビネット４４は、正面視左側のキャビネット４である。センターキャビネット４１は、正面視中央のキャビネット４である。右サイドキャビネット４３は、正面視右側のキャビネット４である。
【００２０】
各キャビネット４（つまり、右サイドキャビネット４３、センターキャビネット４１、左サイドキャビネット４４）は、図３に示すように、キャビネット本体４５と、扉５４とを備えている。
【００２１】
扉５４は、キャビネット本体４５の前方に開閉自在に取り付けられる。扉５４には、全面に亙って鏡板５５が取り付けられており、これにより、扉５４は鏡付き扉を構成する。右サイドキャビネット４３の扉５４は、左端部がキャビネット本体４５に枢支されている。センターキャビネット４１の扉５４は、左端部がキャビネット本体４５に枢支されている。また、左サイドキャビネット４４の扉５４は、右端部がキャビネット本体４５に枢支されている。これにより、本実施形態の照明付きキャビネット３は三面鏡を構成する。
【００２２】
また、左右方向に隣接する扉５４同士は、一定の隙間を介して配置されている。左右方向に隣接する扉５４の間の隙間の左右方向の幅は、図１に示すように、キャビネット４の側板４８の厚さと略同じ寸法となっている。
【００２３】
キャビネット本体４５は、図４に示すように、天板４６、底板４７、側板４８、奥板４９を備え、前方に向かって開口している。キャビネット本体４５は、内部に収納空間５０を有している。この収納空間５０は、天板４６、底板４７、側板４８に囲まれた空間である。キャビネット本体４５は、木質板により構成されている。収納空間５０は、例えば、仕切り板５１によって仕切られて使用される。ユーザーは、仕切り板５１を対向する側板４８間の所望の高さ位置で架設し、これにより、収納空間５０を上下に仕切ることができる。
【００２４】
天板４６は、前後方向に幅を有し、左右方向に長さを有している。天板４６は、キャビネット本体４５の上端面を構成する。なお、センターキャビネット４１の天板４６の上面は、サイドキャビネット４２の天板４６の上面よりも下方に位置している。
【００２５】
底板４７は、前後方向に幅を有し、左右方向に長さを有している。底板４７は、キャビネット本体４５の下端面を構成する。センターキャビネット４１の底板４７の下面と、サイドキャビネット４２の底板４７の下面とは同一平面上に位置している。
【００２６】
側板４８は、前後方向に幅を有し、上下方向に長さを有している。側板４８は、一対設けられており、左右方向に離れた状態で対向配置されている。センターキャビネット４１の側板４８の幅は、サイドキャビネット４２の側板４８の幅は、よりも短く形成されている。また、センターキャビネット４１の側板４８の前端面は、天板４６および底板４７の前端面、サイドキャビネット４２の前端面よりも後方に位置している。
【００２７】
言い換えると、キャビネット４の側板４８のうち隣接するキャビネット４（サイドキャビネット４２）側の側板４８（つまり、センターキャビネット４１の両側の側板４８）の前端面は、天板４６および底板４７の前端面よりも後方に位置している。さらに、本実施形態のキャビネット４は、キャビネット４の互いに隣り合う２つの側板４８のうちのいずれか一方の側板４８の前端面が、天板４６および底板４７の前端面よりも後方に位置している。
【００２８】
また、側板４８の後端部には、上下方向に連続した溝部５２が設けられている。溝部５２は、側板４８の後端面からやや前方に位置する箇所に設けられている。溝部５２は、左右方向に対向する両側板４８に設けられており、互いに平行に形成されている。溝部５２は、互いに向き合うように設けられている。溝部５２は、内側および上方に向かって開口している。この溝部５２には、奥板４９が上方から差し込まれる。
【００２９】
奥板４９は、上下方向に長さを有し、左右方向に幅を有し、正面視矩形状に形成されている。奥板４９は、キャビネット４の内部の奥面を構成する。
【００３０】
キャビネット４は、センターキャビネット４１の側板４８の前端面が、他の部分の前端面（センターキャビネット４１の天板４６および底板４７の前端面、サイドキャビネット４２の前端面）よりも後方に位置しており、これにより、収容部５３が形成される（図１参照）。つまり、収容部５３は、センターキャビネット４１の側板４８の前端面よりも前方で、且つサイドキャビネット４２の側板４８に隣接する空間により構成される。この収容部５３には、後述の照明装置６の導光部８が収納配置される。
【００３１】
照明装置６は、隣接するキャビネット４の収納空間５０の間に取り付けられている。照明装置６は、図５に示すように、光源部７と、導光部８とを備えている。導光部８は、上下方向に長く形成されている。光源部７は、導光部８の長手方向の一方の端部に取り付けられている。
【００３２】
光源部７は、光源７１と、回路基板７２と、放熱板７３と、放熱板カバー７６とを備えている。光源部７は、導光部８に固定されている。
【００３３】
光源７１は、導光部８の長手方向の端面（入射面）に向かって発光するように配設されている。光源７１は、例えば、発光ダイオード（ＬＥＤ（Light  Emitting  Diode））により構成された点光源である。光源７１は、回路基板７２の下面に実装されている。なお、光源７１は、回路基板７２に一つだけ設けられているが、複数設けられていてもよい。
【００３４】
回路基板７２には、放熱板７３が取り付けられている。放熱板７３は、回路基板７２の上面に接触状態で取り付けられる。放熱板７３は、例えば、アルミニウム等の金属により構成されている。放熱板７３は、平面視矩形状の放熱部７４と、この放熱部７４の前端部の一部から前方に向かって突出した突出部７５とを備えている。突出部７５は、後述のホルダー８７に固着具を介して固定されており、回路基板７２に熱的に接続される。これにより、光源７１が発光することで発生した熱は、回路基板７２を介して突出部７５に伝導し、その後、放熱部７４に伝導する。そして、放熱部７４は外気と熱交換を行なう。これにより、光源７１から発生した熱は、放熱板７３を介して放熱される。
【００３５】
また、この放熱板７３には、放熱板カバー７６が取り付けられる。この放熱板カバー７６は、下方に開口する箱形状に形成されている。放熱板カバー７６の内部には、放熱板７３が嵌め込まれる。これにより、放熱板カバー７６は、放熱板７３の上方および側方を覆う。また、放熱板カバー７６の下端は、放熱板７３の下面よりも下方に位置するように構成されている。これにより、放熱板７３に放熱板カバー７６が取り付けられた状態で、放熱板カバー７６は、設置面（つまり、キャビネット４の天板４６の上面）と放熱板７３の下面との間に隙間を形成する。
【００３６】
導光部８は、上下方向に長さを有している。導光部８は、図１に示すように、収容部５３に収納配置される。また、導光部８が収容部５３に収納配置されると、導光部８の前面は、天板４６および底板４７の前端面に面一となるように構成されている。この導光部８は、取付ベース８１と、ホルダー８７と、導光部材９１と、表面カバー９５とを備えている。
【００３７】
なお、ここで言う「面一」とは、厳密な面一だけでなく、面一とみなせる範囲をも含むものとし、多少の誤差は「面一」の範囲に含まれるものとする。
【００３８】
取付ベース８１は、上下方向に長さを有し、左右方向に幅を有し、前後方向に奥行きを有している。取付ベース８１の幅は、センターキャビネット４１の側板４８の幅と同じ大きさに形成されている。取付ベース８１は、後片８２と、この後片８２の左右方向の両端から前方に向かって延出した側片８３とを備え、断面略Ｕ字状に形成されている。取付ベース８１の後片８２には、側板４８に固定するための固定部８４が設けられている。固定部８４は、例えば、固着具挿通孔により構成される。
【００３９】
なお、この固定部８４は、側片８３に設けられてもよい。固定部８４が側片８３に設けられた場合、取付ベース８１は、サイドキャビネット４２の側板４８の側面に固着具を介して固定される。
【００４０】
各側片８３には、係止部８５が設けられている。係止部８５は、ホルダー８７を前後方向に着脱自在に係止する。係止部８５は、互いに向き合う方向（中央側）に向かって突出した突起８６により構成されている。
【００４１】
ホルダー８７には、導光部材９１が固定される。ホルダー８７は、取付ベース８１の側片８３間に嵌め込まれて固定される。ホルダー８７は、上下方向に長さを有している、ホルダー８７の長さは、取付ベース８１の長さと同じ大きさである。ホルダー８７には、前方に開口する保持溝部８８が長さ方向の全長に亘って設けられている。ホルダー８７の後端部には、係止部８５に着脱自在に係合する被係止部８９が設けられている。また、ホルダー８７の前端部には、表面カバー９５を保持するための保持部９０が設けられている。
【００４２】
導光部材９１は、上下方向に長さを有し、棒状に形成されている。導光部材９１には、後方突出部９２が設けられている。導光部材９１は、後方突出部９２が保持溝部８８に保持されることで、ホルダー８７に固定される。導光部材９１は、例えば、アクリル樹脂やポリカーボネート樹脂等の透明な樹脂を用いて形成されており、透光性を有している。
【００４３】
導光部材９１は、長さ方向のいずれか一方の端面に入射面（図示せず）を有し、前面に出射面９３を有している。また、導光部材９１の後面には、反射部９４が設けられている。反射部９４は、例えば、導光部材９１の後面に印刷や蒸着によって反射性の物質を設けたり、微細な凹凸を設けたり、二色成形によって反射部分を設けたりすることによって形成される。
【００４４】
導光部材９１の上端面は、ホルダー８７から露出している。導光部材９１の上端面は、光源７１に対向配置される。これにより、光源７１から発せられた光は、入射面を介して導光部材９１に入射するようになっている。
【００４５】
表面カバー９５は、ホルダー８７の保持部９０に着脱自在に取り付けられる。表面カバー９５は、上下方向に長さを有している。表面カバー９５の長さは、ホルダー８７や導光部材９１の長さと略同じ大きさに形成される。表面カバー９５は、断面略Ｃ字状に形成されている。表面カバー９５は、導光部材９１の前面（つまり、出射面９３）を覆う。表面カバー９５は透光性を有しており、導光部材９１から出射する光を透過可能となっている。
【００４６】
光源７１から光が発せられると、その光は、導光部材９１の入射面を介して導光部材９１に入射する。入射面から導光部材９１に入射した光は、導光部材９１の内部を下方に向かって全反射しながら進行し、反射部９４で拡散反射する。反射部９４で拡散反射した光は、出射面９３を介して出射し、表面カバー９５を介して、前方に向かって進む。これにより、照明装置６は、鏡板５５の間の隙間から、キャビネット４の上下方向の全長に亙った線状の光を照射するように構成されている。
【００４７】
このような構成の照明装置６は、導光部８が収容部５３に収納配置されるようにして、キャビネット４に取り付けられる。照明装置６は、センターキャビネット４１の左右方向の両側の収容部５３にそれぞれ収納配置される。
【００４８】
施工者は、取付ベース８１を、固着具を介してセンターキャビネット４１の側板４８の前端面に固定する。この後、施工者は、導光部材９１および表面カバー９５が取り付けられたホルダー８７を、取付ベース８１の前方から取付ベース８１側に向かって嵌め込む。
【００４９】
図１に示すように、導光部８の奥行き（前後方向の寸法）は、センターキャビネット４１の側板４８の前端面から天板４６および底板４７の前端面までの寸法と略同寸となるように形成されている。また、導光部８の幅（左右方向の寸法）は、センターキャビネット４１の側板４８の厚さと略同寸となるように形成されている。これにより、導光部８の幅方向の一方の側面（センターキャビネット４１の内部側の側面）は、センターキャビネット４１の側板４８の内側面と面一となっている。
【００５０】
光源部７は、図３に示すように、センターキャビネット４１の天板４６の上面に載設される。このとき、センターキャビネット４１の天板４６の上面は、サイドキャビネット４２の天板４６の上面よりもやや下方に位置しているため、光源部７の上面は、サイドキャビネット４２の天板４６の上面と面一となる。
【００５１】
以上説明したように、本実施形態の照明付きキャビネット３は、キャビネット４と、照明装置６とを備えている。キャビネット４は、天板４６、底板４７、側板４８に囲まれた収納空間５０を有している。照明装置６は、このキャビネット４に取り付けられている。キャビネット４は、側板４８同士が隣接するように複数並設されている。また、キャビネット４の対向する側板４８のうち、隣接する他のキャビネット４側の側板４８の前端面が、天板４６及び底板４７の前端面よりも後方に位置している。照明装置６は、導光部８を有している。導光部８は、上下方向に長く形成されており、光源７１からの光が長手方向の端面から入射し且つ入射した光が前面から出射するように構成されている。そして、導光部８は、天板４６及び底板４７の前端面よりも後方に位置する側板４８の前端面の前方に収容配置されている。
【００５２】
このように、本実施形態の照明付きキャビネット３は、照明装置６として光源７１が導光部８の長手方向の端部に対向配置されているため、導光部８を、天板４６及び底板４７の前端面よりも後方に位置する側板４８の前端面の前方に収容配置することができる。これにより、導光部８を収まりよくキャビネット４に取り付けることができる。
【００５３】
さらに、本実施形態の照明付きキャビネット３によれば、光源部７を、例えば、キャビネット４の天板４６の上方に配置することができるため、キャビネット４内の収納空間５０をできる限り広くすることができる。この結果、本実施形態の照明付きキャビネット３によれば、収納空間５０の間に照明装置６を配置しながら、収納空間５０をできる限り広くすることができる。
【００５４】
また、本実施形態の照明付きキャビネット３は、キャビネット４の互いに隣り合う２つの側板４８のうちのいずれか一方の側板４８の前端面が、天板４６及び底板４７の前端面よりも後方に位置している。
【００５５】
このように本実施形態の照明付きキャビネット３によれば、隣接するキャビネット４のうちの一方のキャビネット４のみ、側板４８の前後方向の幅を短くすればよいため、製造性を良くすることができる。
【００５６】
また、本実施形態の照明付きキャビネット３は、導光部８の前面が、天板４６及び底板４７の前端面に面一となっている。
【００５７】
このため、本実施形態の照明付きキャビネット３によれば、キャビネット４の前端面から導光部８が突出して邪魔になるのを防ぐことができる。特に、本実施形態の照明付きキャビネット３は、前面に扉５４が取り付けられている。このため、扉５４を開くと、キャビネット４の前端面が露出するが、導光部８の前面がキャビネット４の前端面に面一となっていると、例えば、ユーザーが、導光部８に物や手指等を引掛けてしまうのを防ぐことができる。
【００５８】
なお、本実施形態の照明付きキャビネット３は、センターキャビネット４１の側板４８の前端面が、天板４６および底板４７の前端面よりも後方に位置するものであったが、これに限定されない。すなわち、センターキャビネット４１の側板４８の前端面を天板４６および底板４７の前端面と面一とし、サイドキャビネット４２の側板４８の前端面を、天板４６および底板４７の前端面よりも後方に位置させたものであってもよい。つまり、サイドキャビネット４２の側板４８の前方に収容部５３を形成してもよい。
【００５９】
また、本実施形態の光源７１は、導光部８の上端側に設けられていたが、これに限定されない。すなわち、光源７１を導光部８の下端面に対向配置してもよい。
【００６０】
また、本実施形態の導光部８の前面は、キャビネット４の天板４６や底板４７と面一となっていたが、必ずしも面一でなくてもよい。
【００６１】
次に、実施形態２について図６に基づいて説明する。なお、本実施形態は、実施形態１と大部分において同じであるため、同じ部分においては同符号を付して説明を省略し、主に異なる部分について説明する。
【００６２】
本実施形態の照明付きキャビネット３は、センターキャビネット４１の側板４８の前端面と、サイドキャビネット４２の側板４８の前端面とが、天板４６および底板４７よりも後方に位置している。つまり、キャビネット４の互いに隣り合う２つの側板４８の前端面が、いずれも、天板４６及び底板４７の前端面よりも後方に位置している。
【００６３】
センターキャビネット４１の側板４８の前端面と、サイドキャビネット４２の側板４８の前端面とは面一となっている。このセンターキャビネット４１の側板４８と、サイドキャビネット４２の側板４８との両側板４８の前方には、収容部５３が形成されている。
【００６４】
導光部８の幅（左右方向の寸法）は、センターキャビネット４１の側板４８の厚さとサイドキャビネット４２の側板４８の厚さとを合わせた寸法と同じ大きさに形成されている。つまり、導光部８の幅方向の側面は、キャビネット４の側板４８の内側面と面一となるように形成されている。また、導光部８の前面は、天板４６および底板４７の前端面に面一となっている。
【００６５】
また、左右方向に隣接する扉５４同士は、一定の隙間を介して配置されている。左右方向に隣接する扉５４の間の隙間の左右方向の幅は、センターキャビネット４１の側板４８の厚さとサイドキャビネット４２の側板４８の厚さとを合わせた寸法と略同じに形成されている。
【００６６】
以上説明したように、本実施形態の照明付きキャビネット３は、キャビネット４の互いに隣り合う２つの側板４８の前端面が、いずれも、天板４６及び底板４７の前端面よりも後方に位置している。
【００６７】
このため、本実施形態の照明付きキャビネット３によれば、側板４８の厚みが薄いキャビネット４に対しても、導光部８を収まりよく設置することができる。
【符号の説明】
【００６８】
１      洗面化粧台
２      洗面台
３      照明付きキャビネット
４      キャビネット
４１    センターキャビネット
４２    サイドキャビネット
４５    キャビネット本体
４６    天板
４７    底板
４８    側板
４９    奥板
５０    収納空間
５３    収容部
５４    扉
５５    鏡板
６      照明装置
７      光源部
７１    光源
７２    回路基板
７３    放熱板
７４    放熱部
７５    突出部
７６    放熱板カバー
８      導光部
８１    取付ベース
８２    後片
８３    側片
８４    固定部
８５    係止部
８６    突起
８７    ホルダー
８８    保持溝部
８９    被係止部
９０    保持部
９１    導光部材
９２    後方突出部
９３    出射面
９４    反射部
９５    表面カバー
【図１】
2014209990.tif 000003
【図２】
2014209990.tif 000004
【図３】
2014209990.tif 000005
【図４】
2014209990.tif 000006
【図５】
2014209990.tif 000007
【図６】
2014209990.tif 000008